(57)【要約】【課題】一層快適な空調環境を作り出すことができる空気調和機を提供する。【解決手段】吹出口１０から吹き出される空気の向きを上下に変更する上下風向変更羽根１２を備え、上下風向変更羽根１２は、吹出口１０の近傍に回動自在に設けられた下羽根１８及び上羽根２０を備え、上羽根２０は、下羽根１８に対して近づく又は離れるように移動可能に構成され、下羽根１８と上羽根２０との間隔及び上羽根２０と上羽根２０と対向する吹出口１０を形成するスタビライザ３２との間隔を調整するように構成され、暖房時に、並列に位置した下羽根１８と上羽根２０との間隔が狭くなるほど、空調運転の風量を上げるように制御するもので、並列に位置した下羽根１８と上羽根２０との間隔が狭くなる程、その間の通風抵抗が増えて足元に温風が届きにくくなるが、吹き出し風量を上げることで、必要十分な温風を足元に送ることができる。【選択図】図５
2014005991.tif 000002
【特許請求の範囲】
【請求項１】
室内機に、吹出口から吹き出される空気の向きを上下に変更する上下風向変更羽根を設け、当該上下風向変更羽根を制御して空調運転を行う空気調和機において、前記上下風向変更羽根は、前記吹出口の近傍に回動自在に設けられた第１の羽根及び第２の羽根を備え、前記第２の羽根は、前記第１の羽根に対して近づく又は離れるように移動可能に構成され、前記第１の羽根と前記第２の羽根との間隔及び前記第２羽根と前記第２の羽根と対向する前記吹出口を形成する壁との間隔を調整するように構成され、暖房時に、並列に位置した前記第１の羽根と前記第２の羽根との間隔が狭くなるほど、空調運転の風量を上げるように制御することを特徴とする空気調和機。
【請求項２】
上下風向変更羽根の風向がより下向きになるほど、空調運転の風量を上げるように制御することを特徴とする請求項１に記載の空気調和機。
【請求項３】
吸込口から吸い込まれる空気の吸込温度を検知する吸込温度検知手段と、吹出口から吹き出される空気の吹出温度を検知する吹出温度検知手段とを設け、前記吹出温度と前記吸込温度の差が大きいほど、空調運転の風量を上げるように制御することを特徴とする請求項１または２に記載の空気調和機。
【発明の詳細な説明】
【技術分野】
【０００１】
本発明は、空気調和機に関するもので、特に、室内機に、吹出口から吹き出される空気の向きを変更する風向変更羽根を設け、当該風向変更羽根を制御して空調運転を行う空気調和機に関するものである。
【背景技術】
【０００２】
従来のこの種の空気調和機の室内機には、吹出口から吹き出される空気の向きを変更する風向変更羽根が設けられている。風向変更羽根は、吹出口から吹き出される空気の向きを上下に変更する上下風向変更羽根と、吹出口から吹き出される空気の向きを左右に変更する左右風向変更羽根とで構成されている。
【０００３】
従来の空気調和機の上下風向変更羽根の構成としては、例えば、特許文献１に開示されたものが知られている。上記特許文献１には、空気調和機の運転時に空気調和機の吹出口から吹き出される空気の向きを大きく変更するとともに、空気調和機の停止時には空気調和機本体をコンパクトにすることを目的として、上下風向変更羽根を３つの羽根で構成したものが開示されている。
【０００４】
具体的には、特許文献１の上下風向変更羽根は、風の流れ方向の上流側に位置する第１の羽根と、風の流れ方向の下流側に位置し、第１の羽根に２本のリンクにより連結された第２の羽根と、第２の羽根に取り付けられた第３の羽根とで構成されている。第１及び第２の羽根は、それぞれ定位置で固定された回動軸を中心として回動することにより、互いに直列に連結された位置と、互いに回動方向に離れた位置とに移動可能に構成されている。第３の羽根は、第１及び第２の羽根が互いに回動方向に離れて位置するときに、それらの間を風が通り抜けるのを防止するように設けられている。
【先行技術文献】
【特許文献】
【０００５】
【特許文献１】特開２０１０−６０２２３号公報
【発明の概要】
【発明が解決しようとする課題】
【０００６】
本発明者らは、安静時（くつろいでいるとき）や活動時（例えば、家事をしているとき）などの使用者の状況に応じて、使用者が快適と感じる室内の上部空間と下部空間の温度差が異なることを見出した。しかしながら、上記従来の空気調和機の上下風向変更羽根のように吹出口から吹き出される空気を一方向のみに向ける構成では、使用者の状況に応じて上部空間と下部空間の温度差を最適な値に調整することは困難で、使用者の使用状況に応じて快適な空調環境を作り出すという点で未だ改善の余地があった。
【０００７】
本発明は、このような従来の課題を解決するものであり、使用者の状況に応じて一層快適な空調環境を作り出すことができる空気調和機を提供することを目的とする。
【課題を解決するための手段】
【０００８】
前記従来の課題を解決するために、本発明の空気調和機は、室内機に、吹出口から吹き出される空気の向きを上下に変更する上下風向変更羽根を設け、当該上下風向変更羽根を制御して空調運転を行う空気調和機において、前記上下風向変更羽根は、前記吹出口の近傍に回動自在に設けられた第１の羽根及び第２の羽根を備え、前記第２の羽根は、前記第１の羽根に対して近づく又は離れるように移動可能に構成され、前記第１の羽根と前記第
２の羽根との間隔及び前記第２羽根と前記第２の羽根と対向する前記吹出口を形成する壁との間隔を調整するように構成され、暖房時に、並列に位置した前記第１の羽根と前記第２の羽根との間隔が狭くなるほど、空調運転の風量を上げるように制御するもので、第２の羽根を移動することにより、吹出口から吹き出される空気を、第１の羽根と第２の羽根との間と、第２の羽根と第２の羽根と対向する吹出口を形成する壁との間を通して、二方向（例えば、上部空間と下部空間）に向けるように分配し、分配する空気の風量を調整することで、上部空間と下部空間の温度差を所望の値にコントロールすることができる。
【０００９】
これによって、暖房時では、前記第１の羽根と前記第２の羽根との間隔を変えることで、上部空間に向ける風量と下部空間に向ける風量の配分を調節し、使用者の足元付近と上半身の温度差を所望の値にコントロールすることができる。
【００１０】
また、並列に位置した前記第１の羽根と前記第２の羽根との間隔が狭くなる程、前記第１の羽根と前記第２の羽根との間の流路の通風抵抗が増えて足元に温風が届きにくくなるため、全体の吹き出し風量をより上げるように制御することで、前記第１の羽根と前記第２の羽根との間隔の変化に応じて、足元付近と上半身の温度差を所望の温度差にコントロールするために必要十分な温風を足元に送ることができる。
【発明の効果】
【００１１】
本発明の空気調和機によれば、使用者の状況に応じて一層快適な空調環境を作り出すことができる。
【図面の簡単な説明】
【００１２】
【図１】本発明の実施の形態１にかかる空気調和機の室内機の縦断面図
【図２】図１の室内機を一部切り欠いて示す斜視図
【図３】同室内機の上羽根が並列位置に位置する状態を示す概略図
【図４】図３に示す状態から同上羽根と下羽根が略平行な状態を維持したままま同じ角度回動した状態を示す概略図
【図５】図３に示す状態から同上羽根が下羽根に近づいた状態を示す概略図
【図６】図５に示す状態から同上羽根と下羽根が略平行な状態を維持したままま同じ角度回動した状態を示す概略図
【図７】図５に示す状態から同上羽根が下羽根にさらに近づいた状態を示す概略図
【図８】図７に示す状態から同上羽根と下羽根が略平行な状態を維持したままま同じ角度回動した状態を示す概略図
【図９】同上羽根が下羽根と直列位置に位置する状態を示す概略図
【図１０】冷房時において、同室内機の上下風向変更羽根が図９に示す状態にあるときに吹出口から吹き出される空気の流れを示す説明図
【図１１】冷房時において同上下風向変更羽根が図５に示す状態にあるときに吹出口から吹き出される空気の流れを示す説明図
【図１２】冷房時において同上下風向変更羽根が図７に示す状態にあるときに吹出口から吹き出される空気の流れを示す説明図
【図１３】暖房時において同上下風向変更羽根が図４に示す状態にあるときに吹出口から吹き出される空気の流れを示す説明図
【図１４】暖房時において同上下風向変更羽根が図６に示す状態にあるときに吹出口から吹き出される空気の流れを示す説明図
【図１５】暖房時において同上下風向変更羽根が図８に示す状態にあるときに吹出口から吹き出される空気の流れを示す説明図
【発明を実施するための形態】
【００１３】
本発明者らは、安静時や活動時などの使用者の状況に応じて、使用者が快適と感じる室
内の上部空間と下部空間の温度差が異なることを見出した。例えば、暖房時において、使用者が快適と感じる室内の上部空間と下部空間の温度差は、安静時には約６℃（例えば、上部空間が２４℃で下部空間が３０℃）であり、使用者が食事をしているときのような活動量が比較的小さいときには約４℃（例えば、上部空間が２４℃で下部空間が２８℃）であり、使用者が室内を掃除しているときのような活動量が大きいときには約２℃（例えば、上部空間が２４℃で下部空間が２６℃）であることを見出した。
【００１４】
上記知見から、本発明の発明者らは以下の発明に想到した。
【００１５】
第１の発明は、室内機に、吹出口から吹き出される空気の向きを上下に変更する上下風向変更羽根を設け、当該上下風向変更羽根を制御して空調運転を行う空気調和機において、前記上下風向変更羽根は、前記吹出口の近傍に回動自在に設けられた第１の羽根及び第２の羽根を備え、前記第２の羽根は、前記第１の羽根に対して近づく又は離れるように移動可能に構成され、前記第１の羽根と前記第２の羽根との間隔及び前記第２羽根と前記第２の羽根と対向する前記吹出口を形成する壁との間隔を調整するように構成され、暖房時に、並列に位置した前記第１の羽根と前記第２の羽根との間隔が狭くなるほど、空調運転の風量を上げるように制御するもので、第２の羽根を移動することにより、吹出口から吹き出される空気を、第１の羽根と第２の羽根との間と、第２の羽根と第２の羽根と対向する吹出口を形成する壁との間を通して、二方向（例えば、上部空間と下部空間）に向けるように分配し、分配する空気の風量を調整することで、上部空間と下部空間の温度差を所望の値にコントロールすることができる。
【００１６】
これによって、暖房時では、前記第１の羽根と前記第２の羽根との間隔を変えることで、上部空間に向ける風量と下部空間に向ける風量の配分を調節し、使用者の足元付近と上半身の温度差を所望の値にコントロールすることができる。
【００１７】
また、並列に位置した前記第１の羽根と前記第２の羽根との間隔が狭くなる程、前記第１の羽根と前記第２の羽根との間の流路の通風抵抗が増えて足元に温風が届きにくくなるため、全体の吹き出し風量をより上げるように制御することで、前記第１の羽根と前記第２の羽根との間隔の変化に応じて、足元付近と上半身の温度差を所望の温度差にコントロールするために必要十分な温風を足元へ届かせることができる。
【００１８】
第２の発明は、特に、第１の発明の上下風向変更羽根の風向がより下向きになるほど、空調運転の風量を上げるように制御するもので、第２及び第１の羽根の下向き角度が深くなる程、前記第１の羽根と前記第２の羽根との間の流路の通風抵抗がさらに増えて足元に温風が届きにくくなるため、前記第１の羽根と前記第２の下向き角度が深くなるほど全体の吹き出し風量をより上げるように調節することで、前記第１の羽根と前記第２の羽根の下向き角度の変化に応じて、足元付近と上半身の温度差を所望の温度差にコントロールするために必要十分な温風を足元へより確実に届かせることができる。
【００１９】
第３の発明は、特に、第１又は第２の発明の空気調和機において、吸込口から吸い込まれる空気の吸込温度を検知する吸込温度検知手段と、吹出口から吹き出される空気の吹出温度を検知する吹出温度検知手段とを設け、前記吹出温度と前記吸込温度の差が大きいほど、空調運転の風量を上げるように制御するもので、運転中の暖房能力の変化に応じて、足元付近と上半身の温度差を所望の温度差にコントロールするために必要十分な温風を足元へより確実に届かせることができる。
【００２０】
以下、本発明の実施の形態について、図面を参照しながら説明する。なお、この実施の形態によって本発明が限定されるものではない。
【００２１】
（実施の形態１）
図１は、本発明の実施の形態１にかかる空気調和機の室内機の縦断面図、図２は、図１の室内機を一部切り欠いて示す斜視図、図３は、同室内機の上羽根が並列位置に位置する状態を示す概略図、図４は、図３に示す状態から同上羽根と下羽根が略平行な状態を維持したままま同じ角度回動した状態を示す概略図、図５は、図３に示す状態から同上羽根が下羽根に近づいた状態を示す概略図、図６は、図５に示す状態から同上羽根と下羽根が略平行な状態を維持したままま同じ角度回動した状態を示す概略図、図７は、図５に示す状態から同上羽根が下羽根にさらに近づいた状態を示す概略図である。
【００２２】
図８は、図７に示す状態から同上羽根と下羽根が略平行な状態を維持したままま同じ角度回動した状態を示す概略図、図９は、同上羽根が下羽根と直列位置に位置する状態を示す概略図、図１０は、冷房時において、同室内機の上下風向変更羽根が図９に示す状態にあるときに吹出口から吹き出される空気の流れを示す説明図、図１１は、冷房時において同上下風向変更羽根が図５に示す状態にあるときに吹出口から吹き出される空気の流れを示す説明図、図１２は、冷房時において同上下風向変更羽根が図７に示す状態にあるときに吹出口から吹き出される空気の流れを示す説明図である。
【００２３】
また、図１３は、暖房時において同上下風向変更羽根が図４に示す状態にあるときに吹出口から吹き出される空気の流れを示す説明図、図１４は、暖房時において同上下風向変更羽根が図６に示す状態にあるときに吹出口から吹き出される空気の流れを示す説明図、図１５は、暖房時において同上下風向変更羽根が図８に示す状態にあるときに吹出口から吹き出される空気の流れを示す説明図である。
【００２４】
本実施の形態における空気調和機は、冷媒配管（図示せず）で互いに接続された室外機（図示せず）と室内機５０とで構成されている。
【００２５】
図１において、室内機５０は、本体２と、本体２の前面開口部２ａを開閉自在に塞ぐ可動式の前面パネル４とを備えている。空気調和機の運転停止時において、前面パネル４は、本体２に密着して前面開口部２ａを閉じるように設けられている。一方、空気調和機の空調運転時において、前面パネル４は、本体２から離反する方向に移動して前面開口部２ａを開放するように設けられている。なお、図１は、前面パネル４が前面開口部２ａを閉じた状態を示している。
【００２６】
本体２の内部には、熱交換器６と、室内の空気を吸込むための吸込口となる前面開口部２ａ及び上面開口部２ｂから取り入れられた室内空気を熱交換器６で熱交換して室内に吹き出すためのファン８と、熱交換した空気を室内に吹き出す吹出口１０を開閉するとともに空気の吹き出し方向を上下に変更する上下風向変更羽根１２と、空気の吹き出し方向を左右に変更する左右風向変更羽根１４とが設けられている。また、前面開口部２ａ及び上面開口部２ｂと熱交換器６との間には、前面開口部２ａ及び上面開口部２ｂから取り入られた室内空気に含まれる塵埃を除去するためのフィルタ１６が設けられている。
【００２７】
上下風向変更羽根１２は、第１の羽根の一例である下羽根１８と、下羽根１８の上方に設けられ第２の羽根の一例である上羽根２０とを備えている。上下風向変更羽根１２は、下羽根１８と上羽根２０とを協働させて、吹出口１０から吹き出された空気の吹き出し方向を制御するように構成されている。また、下羽根１８は、回動軸２２を中心として回動自在に設けられている。上羽根２０は、後述するリンクアーム３６ａ、３６ｂによって下羽根１８と略平行に保たれた状態で自由に下羽根１８に対して近接・離間できるように設けられている。
【００２８】
左右風向変更羽根１４は、例えば、室内機５０の正面から見て左側に位置する一組の羽
根１４ａと、右側に位置する一組の羽根１４ａとで構成されている。各一組の羽根１４ａは、複数枚（例えば、４枚）の羽根で構成されている。また、各一組の羽根１４ａは、それぞれ別々の駆動モータなどから成る駆動源２６に連結され、駆動源２６により独立して制御される。
【００２９】
空気調和機が空調運転を開始すると、上下風向変更羽根１２が開制御されて吹出口１０が開放される。この状態でファン８が駆動されることで、室内空気が前面開口部２ａ及び上面開口部２ｂを介して室内機５０の内部に取り入れられる。取り入れられた室内空気は、熱交換器６で熱交換が行われ、ファン８を通過し、ファン８の下流側に形成された通風路２８を通過して、吹出口１０より吹き出される。
【００３０】
吹出口１０からの空気の吹き出し方向は、上下風向変更羽根１２及び左右風向変更羽根１４により制御される。上下風向変更羽根１２及び左右風向変更羽根１４の角度調整などの動作は、室内機５０を制御する制御装置（図示せず）により制御される。
【００３１】
吹出口１０の上流側に位置する通風路２８は、ファン８の下流側に位置するリアガイダ３０と、ファン８の下流側に位置しリアガイダ３０に対向するスタビライザ３２と、本体２の両側壁（図示せず）とで形成されている。
【００３２】
なお、上述した用語「スタビライザ」は、ファン８の下流近傍に位置し、ファン８の前部付近に発生する渦を安定化させるスタビライザと、このスタビライザの下流側に位置し、ファン８により搬送される空気の圧力回復を担うディフューザの前部の上側を構成する壁部分に分けることもできるが、ここでは、これらを総称して「スタビライザ」という。
【００３３】
また、前面パネル４には、図２に示すように、人の活動量を検知する活動量検知装置の一例として人感センサユニット３４が設けられている。ここで、「人の活動量」とは、人の動きの度合いを示す概念であり、例えば、「安静」、「活動量大」、「活動量小」などの複数の活動量レベルに分類されるものである。「安静」とは、例えば、ソファでくつろいでいるときのようなほとんど活動がない場合をいう。「活動量大」とは、掃除しているときやアイロン掛けをしているときのような頻繁に活動している場合をいう。「活動量小」とは、食事をしているときのような多少活動して５０いる場合をいう。人感センサユニット３４としては、特に限定されるものではなく、従来公知のもの（例えば、特開２００８−２１５７６４号公報等参照）を使用することができる。
【００３４】
次に、上下風向変更羽根１２の構成について、さらに詳しく説明する。図３〜図９は、上下風向変更羽根１２の構成を示す概略図である。なお、図３〜図９においては、スタビライザ３２の前端部とリアガイダ３０の前端部とを結ぶ仮想曲線で吹出口１０の位置を示している。
【００３５】
上下風向変更羽根１２は、上述したように、下羽根１８と上羽根２０とを備えている。下羽根１８と上羽根２０とは、吹出口１０の近傍に回動自在に設けられている。より具体的には、下羽根１８の回動軸２２は、吹出口１０の下端部１０ａの近傍に設けられ、定位置で固定されている。一方、上羽根２０の回動軸２４は、定位置では固定されず、下羽根１８に対して相対的に近接・離間するように移動可能に設けられている。
【００３６】
即ち、下羽根１８と上羽根２０とは、略平行な状態を維持するように連結されている。本実施の形態では、下羽根１８と上羽根２０とは、それぞれ一対のリンクアーム３６ａ、３６ｂに枢動可能に連結され、これにより、４節リンク機構が構成されている。一方のリンクアーム３６ａは、下羽根１８の回動軸２２と上羽根２０の回動軸２４とに枢動可能に連結されている。他方のリンクアーム３６ｂは、下羽根１８の回動軸２２から風の流れ方
向の下流側に離れた部分と、上羽根２０の回動軸２４から風の流れ方向の下流側に離れた部分とに枢動可能に連結されている。
【００３７】
なお、「略平行な状態」とは、下羽根１８と上羽根２０とが完全に平行な状態のみならず、巨視的に見て概ね平行な状態も含むことを意味する。下羽根１８及び上羽根２０として、直線形状や同一の厚さを有するものだけでなく、湾曲していたり、段差部が設けられたものを使用することができるからである。
【００３８】
また、下羽根１８の回動軸２２には、下羽根１８を回動させる駆動モータ等の角度調整用の駆動源３８が連結されている。駆動源３８の駆動力により下羽根１８が回動軸２２を中心として回動することによって、下羽根１８の回動動作にリンクして上羽根２０が下羽根１８に対して略平行な状態を維持しつつ回動軸２４を中心として回動する。これにより、図３及び図４若しくは図５及び図６若しくは図７及び図８に示すように、下羽根１８及び上羽根２０の両方の角度が調整される。
【００３９】
より具体的には、下羽根１８が回動軸２２を中心として矢印Ａ１方向に回動することにより、上羽根２０が回動軸２４を中心としてＡ１方向に回動する。一方、下羽根１８が回動軸２２を中心として矢印Ａ１方向とは反対方向に回動することにより、上羽根２０が回動軸２４を中心としてＡ１方向と反対方向に回動する。下羽根１８及び上羽根２０の両方の角度を調整することにより、吹出口１０から吹き出される空気の向きが調整される。
【００４０】
また、下羽根１８の回動軸２２と同軸上には、リンクアーム３６ａを回動させる駆動モータ等の間隔調整用の駆動源４０が配置されている。駆動源４０の駆動力によりリンクアーム３６ａが回動軸２２を中心として回動することによって、リンクアーム３６ａの回動動作にリンクしてリンクアーム３６ｂが回動する。
【００４１】
これにより、図３、図５、図７に示すように、上羽根２０の回動軸２４が下羽根１８に対して近づく又は離れるように移動する。より具体的には、リンクアーム３６ａが回動軸２２を中心として矢印Ａ２方向に回動することにより、上羽根２０の回動軸２４が下羽根１８に対して近づくように移動する。一方、リンクアーム３６ａが回動軸２２を中心として矢印Ａ２方向とは反対方向に回動することにより、上羽根２０の回動軸２４が下羽根１８に対して離れるように移動する。
【００４２】
図３に示す状態から図５に示す状態まで上羽根２０の回動軸２４が下羽根１８に近づくことにより、下羽根１８と上羽根２０との間隔が狭くなり、上羽根２０とスタビライザ３２との間隔が広がる。これにより、吹出口１０から吹き出される空気が二方向（例えば、上部空間と下部空間）に向かうように分配される。
【００４３】
また、図５に示す状態から図７に示す状態まで上羽根２０の回動軸２４が下羽根１８に近づくことにより、下羽根１８と上羽根２０との間隔がさらに狭くなり、上羽根２０とスタビライザ３２との間隔がさらに広がる。これにより、下羽根１８と上羽根２０との間を通過する空気の風量が小さくなり、上羽根２０とスタビライザ３２との間を通過する空気の風量が大きくなる。
【００４４】
上述のように、上羽根２０の回動軸２４が下羽根１８に対して近づく又は離れるように移動することによって、下羽根１８と上羽根２０との間を通過する空気の風量と、上羽根２０とスタビライザ３２との間を通過する空気の風量とが調整される。
【００４５】
また、駆動源４０の駆動力によりリンクアーム３６ａ、３６ｂが回動するとき、上羽根２０の上流側端部２０ａは、吹出口１０を示す仮想曲線に対して風の流れ方向の上流側又
は下流側に移動する。図３〜６に示す状態のとき、上羽根２０の上流側端部２０ａは、吹出口１０を示す仮想曲線に対して風の流れ方向の上流側に位置する。
【００４６】
例えば、図３に示す状態から図７に示す状態までリンクアーム３６ａ、３６ｂが回動することにより、上羽根２０の上流側端部２０ａは、吹出口１０を示す仮想曲線に対して風の流れ方向の上流側から下流側に移動する。この時、上羽根２０の上流側端部２０ａから、スタビライザ３２及び下羽根１８へのそれぞれに対する距離の割合が変化し、この割合に応じてスタビライザ３２の上側の壁面に略平行に吹き出す風量と、上羽根２０および下羽根１８に略平行に吹き出す風量との割合を自在に変動させ、快適な空調空間を実現することが出来る。
【００４７】
また、図３〜図９に示すように、上羽根２０は、空調運転時において、下羽根１８に対して並列に位置する並列位置Ｂ１と直列に連結される直列位置Ｂ２とに移動可能に構成されている。上羽根２０の並列位置Ｂ１と直列位置Ｂ２との間の移動は、駆動源４０の駆動力によりリンクアーム３６ａが回動軸２２を中心として回動することによって行われる。
【００４８】
図９に示すように、上羽根２０が直列位置Ｂ２に移動したとき、上下風向変更羽根１２の見かけ上の長さが最大になる。これにより、吹出口１０から吹き出される空気をより遠くまで供給することができる。なお、図９に示す状態において、上羽根２０の上流側端部２０ａは、吹出口１０を示す仮想曲線よりも風の流れ方向の下流側に位置している。
【００４９】
なお、上羽根２０が直列位置Ｂ２に移動したとき、下羽根１８の表面と上羽根２０の表面とは、面一であることが好ましい。これにより、整流効果が増大し吹出口１０から吹き出される空気の流れを妨げず、空気の整流効果を向上させることができる。また、下羽根１８及び上羽根２０の裏面側についても面一であることが好ましい。これにより、デザイン性を向上させることができるとともに、僅かながらも前記空気の整流効果を向上させることができる。また、下羽根１８には、一対のリンクアーム３６ａ、３６ｂを収容する凹部（図示せず）が形成されることが好ましい。
【００５０】
また、上羽根２０が直列位置Ｂ２に移動したとき、上羽根２０の後端部と下羽根１８の前端部とが重なるように構成されることが好ましい。また、この場合、図９に示すように、下羽根１８の前端部には、上羽根２０の後端部を受け入れる段差部１８ａが設けられることがさらに好ましい。これにより、上羽根２０の後端部と下羽根１８の前端部との間から吹出口１０から吹き出される空気が漏れて、当該空気の整流効果が低下することを抑えることができる。また、上羽根２０の後端部と下羽根１８の前端部とが重なるように構成することで、上羽根２０を長くしても同じ収容スペースで収容することができるので、上羽根２０を長くすることが可能になる。
【００５１】
なお、上記実施の形態では、リンクアーム３６ａ、３６ｂの回動により上羽根２０が移動することを説明するために、上羽根２０の上流側端部２０ａの位置に着目して説明したが、上流側端部２０ａは、必ずしも吹出口１０を示す仮想曲線を通過するように設けられる必要はない。また、この場合、上羽根２０の回動軸２４が、吹出口１０を示す仮想曲線に対して風の流れ方向の上流側又は下流側に移動するように構成されてもよい。
【００５２】
次に、空調運転時の上下風向変更羽根１２の好ましい制御動作について説明する。
【００５３】
冷房時においては、活動量レベルが「安静」に近い場合ほど、室内の上部空間と下部空間の温度をなるべく均一にし、なお且つ冷風を体に直接当てないようにすることが使用者にとって快適であると考えられている。（例えば、活動量レベルが「安静」の場合には、室内の上部空間と下部空間の温度差を約０℃、さらに室内の上部空間と下部空間の風速は
気流感を感じない風速でいずれも約０．２ｍ／ｓ以下にすると、使用者が快適に感じることが知られている）。
【００５４】
このため、冷房時においては、図９に示すように、上羽根２０が直列位置Ｂ２に移動するように駆動源３８及び駆動源４０を制御することが好ましい。これにより、上下風向変更羽根１２の見かけ上の長さが最大になり、空気の整流効果が向上する。冷房時において室内機５０の内部で冷やされた空気（冷風）は、暖かい空気より重いため吹出口１０から床面に向けて下降しようとするが、上下風向変更羽根１２の見かけ上の長さが長くなることにより、当該空気の向きを天井面に沿う方向に変更することができる。
【００５５】
これにより、図１０に示すように、吹出口１０から吹き出される空気（冷風）を天井面に沿って室内機５０が設置されている壁面と対向する壁面まで供給することができ、室内の上部空間と下部空間の温度をより均一にすることができるとともに、使用者には冷風が直接当たらないようにすることができる。
【００５６】
また、冷房時であっても、室内の温度が高い冷房初期の場合や、活動量レベルが「活動量大」に近い場合ほど、使用者が暑く感じやすい状況であるため、冷風の一部を使用者の上半身に直接当てて体感温度を下げる方が、使用者にとって快適であると考えられる（例えば、活動量レベルが「活動量大」の場合には、室内の上部空間を下部空間よりも約１℃低くなるように温度差をつけ、さらに室内の上部空間は適度な気流感を感じる風速約０．５ｍ／ｓ前後にすると、使用者が快適に感じることを本発明者らは見出した）。
【００５７】
このため、冷房初期や「活動量大」の場合においては、図５又は図７に示す位置に上羽根２０が移動するように駆動源３８及び駆動源４０を制御することが好ましい。これにより、図１１又は図１２に示すように、吹出口１０から吹き出される空気を天井面に沿う方向と使用者に向かう方向の二方向に分配することができる。
【００５８】
また、暖房時においては、活動量レベルが比較的小さいとき（例えば、安静時や読書、食事をしているとき等）は、室内の上部空間と下部空間の温度差を大きくし、使用者の上半身の温度よりも足元付近の温度をより高くすることが使用者にとって快適であると考えられている。（例えば、活動量レベルが「安静時」の場合には、室内の下部空間を上部空間よりも約６℃高くなるように温度差をつけると、使用者が快適に感じることを本発明者らは見出した）。
【００５９】
このため、暖房時においては、図４又は図６に示す位置に上羽根２０を移動させ、且つ、上下風向変更羽根１２の角度が下向きになるように駆動源３８及び駆動源４０を制御することが好ましい。暖房時において室内機５０の内部で温められた空気（温風）は、吹出口１０から上方に浮き上がろうとするが、上羽根２０が並列位置Ｂ１に移動し且つ、上下風向変更羽根１２の角度を下向きにすることにより、当該吹き出される殆どの空気の向きを下方に変更することができる。これにより、図１３及び図１４に示すように、吹出口１０から吹き出される空気（温風）をより多く床面に向けて供給することができ、使用者の足元の温度を高くすることができる。
【００６０】
また、暖房時において、活動量レベルが比較的大きいとき（例えば、使用者が室内を掃除しているとき等）は、室内の上部空間と下部空間の温度差を小さくし、使用者の上半身の温度よりも足元付近の温度を高くする温度幅を小さくすることが使用者にとって快適であると考えられている。（例えば、活動量レベルが「活動量大」の場合には、室内の下部空間を上部空間よりも約２℃高くなるように温度差をつけると、使用者が快適に感じることを本発明者らは見出した）。
【００６１】
このため、暖房時においては、上羽根２０を図６に示す位置から図８に示す位置に移動し、前記下羽根１８と上羽根２０との間隔を狭くするように制御することが好ましい。これにより、吹出口１０から吹き出される空気（温風）の流れは、図１４の状態から図１５の状態に変化し、吹出口１０から吹き出される空気（温風）を床面に向けて供給する量がより少なくなり、使用者の足元の温度をより低くすることができる。
【００６２】
しかし、このように前記下羽根１８と上羽根２０との間隔を狭くすると、前記下羽根１８と上羽根２０との間の流路の通風抵抗が増えるため、温風が床面に到達するために十分な吹き出し速度が得られず、床面に到達する前に上方に浮き上がって足元に温風が届かなくなってしまう危険性がある。そこで、並列に位置する下羽根１８と上羽根２０との間隔を狭くする程、全体の吹き出し風量をより上げるように制御することによって、足元に温風が届かなくなることを防ぎ、下羽根１８と上羽根２０との間隔の変化に応じて、足元付近と上半身の温度差を所望の温度差にコントロールするために必要十分な温風を足元へ送ることができる。
【００６３】
また、使用者の居場所に合わせて上羽根２０と、下羽根１８の上下の向きを変更した場合、下向き角度が深くなる程、下羽根１８と上羽根２０との間の流路の通風抵抗がさらに増えるため、温風が床面に到達するために十分な吹き出し速度が得られず、床面に到達する前に上方に浮き上がって足元に温風が届かなくなってしまう危険性がある。そこで、上羽根２０と、下羽根１８の下向き角度が深くなる程、全体の吹き出し風量をより上げるように制御することによって、足元に温風が届かなくなることを防ぎ、上羽根２０と、下羽根１８の下向き角度の変化に応じて、足元付近と上半身の温度差を所望の温度差にコントロールするために必要十分な温風を足元へより確実に届けることができる。
【００６４】
また、暖房運転中における立ち上がり時や設定温度を上げた場合、さらには外気温が低い時や部屋への出入りがあった場合等において、より空調負荷が大きくなった場合では、より大きな暖房能力で運転するよう制御されるが、この時室内の空気温度に対して吹き出し空気の温度はより大きくなるため、温風は浮力が増して床面に到達する前に上方に浮き上がって足元に温風が届かなくなってしまう危険性がある。
【００６５】
そこで、前面開口部２ａ及び／又は上面開口部２ｂから吸い込まれる室内の空気の温度を検知する吸込温度検知手段（図示せず）と、吹出口１０から吹き出される空気の温度を検知する吹出温度検知手段（図示せず）を設け、その吸込温度検知手段によって検知された吸込温度と吹出温度検知手段によって検知された吹出温度との温度差によって室内の空気温度と吹出温度との差を判断し、前記吹出温度と前記吸込温度の差が大きい程、全体の吹き出し風量を上げるように制御することによって、足元に温風が届かなくなることを防ぎ、暖房能力の変化に応じて、足元付近と上半身の温度差を所望の温度差にコントロールするために必要十分な温風を足元へ一層確実に届けることができる。
【００６６】
なお、吹出温度検知手段としては、吹出温度と略同一の温度を示す室内の配管温度を検知する室内配管温度検知手段を設けて代用してもよい。
【００６７】
また、上羽根２０を直列位置Ｂ２に移動させるのは、冷房時に限定されものではなく、暖房時であってもよい。また、上羽根２０を並列位置Ｂ１に移動させるのは、暖房時に限定されものではなく、冷房時であってもよい。すなわち、吹出口１０から空気を供給する目標地点までの距離が長いときに上羽根２０を直列位置Ｂ２に移動させ、吹出口１０から空気を供給する目標地点までの距離が短いときに上羽根２０を並列位置Ｂ１に移動させればよい。
【００６８】
また、安静時や活動時などの使用者の状況に応じて、使用者が快適と感じる室内の上部
空間と下部空間の温度差が異なる。このため、人感センサユニット３４の検知信号に基づいて下羽根１８と上羽根２０との間隔を調整することが好ましい。図３、図５、図７に示すように、下羽根１８と上羽根２０との間隔を調整することにより、吹出口１０から吹き出される空気を二方向（例えば、上部空間と下部空間）に向けるように分配し、当該分配する空気の風量を調整することができる。これにより、上部空間と下部空間の温度差を所望の値にコントロールすることが可能になる。
【００６９】
以上のように、本実施の形態によれば、上羽根２０を移動することにより、吹出口１０から吹き出される空気を、下羽根１８と上羽根２０との間と、上羽根２０とスタビライザ３２との間の二方向に向けるように分配して、当該分配する空気の風量を調整し、上部空間と下部空間の温度差をコントロールすることができる。
【００７０】
また、上部空間と下部空間の温度差の変更によって生じる使用者の体感温度の変化に応じて、空調の目標温度を調節することにより、より快適な空調環境を作り出すとともに暖めすぎや冷やしすぎになることなくより省エネルギー性に優れた冷暖房を実現することができる。
【００７１】
なお、本発明は、上記実施の形態に限定されるものではなく、その他種々の態様で実施できる。例えば、上記実施の形態では、下羽根１８の回動軸２２が定位置で固定され、上羽根２０の回動軸２４が移動可能に構成されるものとしたが、本発明はこれに限定されない。例えば、上羽根２０と下羽根１８とが所定の距離を保ち、リンクアーム３６ａ、３６ｂが枢動することなく固定された状態で上羽根２０と下羽根１８とが相対位置を保ったまま、回動軸２２を中心に回動させるようにしてもよい。
【００７２】
また、上羽根２０の回動軸２４が定位置で固定され、下羽根１８の回動軸２２が移動可能に構成されてもよい。すなわち、下羽根１８と上羽根２０のいずれか一方が定位置で固定され、他方が移動可能に構成されていればよい。
【００７３】
また、前記実施の形態では、下羽根１８と上羽根２０とを一対のリンクアーム３６ａ、３６ｂにより略平行な状態を維持するように連結したが、本発明はこれに限定されない。例えば、下羽根１８と上羽根２０とをジャッキのような部材で連結してもよい。
【００７４】
また、上記実施の形態では、上羽根２０が下羽根１８の前方に移動して互いに直列に連結されるようにしたが、本発明はこれに限定されない。例えば、上羽根２０が下羽根１８の後方に移動して互いに直列に連結されるようにしてもよい。
【産業上の利用可能性】
【００７５】
以上のように、本発明にかかる空気調和機は、使用者の状況に応じて一層快適な空調環境を作り出すことができるので、一般家庭で使用される空気調和機を含む様々な空気調和機として有用である。
【符号の説明】
【００７６】
２  本体
２ａ  前面開口部（吸込口）
２ｂ  上面開口部（吸込口）
４  前面パネル
６  熱交換器
８  ファン
１０  吹出口
１２  上下風向変更羽根
１４  左右風向変更羽根
１６  フィルタ
１８  下羽根（第１の羽根）
１８ａ  段差部
２０  上羽根（第２の羽根）
２２、２４  回動軸
２６、３８、４０  駆動源
２８  通風路
３０  リアガイダ
３２  スタビライザ（壁）
３４  人感センサユニット
３６ａ、３６ｂ  リンクアーム
【図１】
2014005991.tif 000003
【図２】
2014005991.tif 000004
【図３】
2014005991.tif 000005
【図４】
2014005991.tif 000006
【図５】
2014005991.tif 000007
【図６】
2014005991.tif 000008
【図７】
2014005991.tif 000009
【図８】
2014005991.tif 000010
【図９】
2014005991.tif 000011
【図１０】
2014005991.tif 000012
【図１１】
2014005991.tif 000013
【図１２】
2014005991.tif 000014
【図１３】
2014005991.tif 000015
【図１４】
2014005991.tif 000016
【図１５】
2014005991.tif 000017